(57)【特許請求の範囲】
【請求項１】
プレート式熱交換器のプレートをガイドバーに懸垂支持する場合、あるいはガイドバーから取り外す場合のハンドリング時にプレートに取り付けられるものであって、プレートの周縁部、切欠き部、あるいは孔部を利用して当該プレートと固定する１本あるいは２本の縦補強桟を具備したことを特徴とするプレート式熱交換器用プレートのハンドリング補助具。
【発明の詳細な説明】
【０００１】
【発明の属する技術分野】
本発明は、プレート式熱交換器のプレートをガイドバーに懸垂する場合、あるいはプレートをガイドバーから取り外す場合に用いるハンドリング補助具に関するものである。
【０００２】
【従来の技術】
一般に、プレート式熱交換器は、複数枚のプレートをガスケットを介して積層してプレート相互間に複数の流路を形成し、これら流路に異種の液を交互に流通して両液間でプレートを介して熱交換を行なっている。
【０００３】
このようなプレート式熱交換器においては、図９に示す如き、プレート（１）が使用されている。このプレート（１）は、矩形状金属板の四隅に液の出入口となる通路孔（２）を設け、その中間に波板形状をした伝熱面（３）を設けたもので、一側上下の通路孔（２）を伝熱面（３）と連通し、かつ、他側上下の通路孔（２）を伝熱面（３）と二重に遮断するように合成ゴム等の耐熱性を有する弾性材から製作されたガスケット（４）を装着し、これを交互に平面上で１８０°回転させて、即ち、上下反転させて積層することにより複数の流路を有するプレート式熱交換器を形成している。
【０００４】
上記プレート（１）は、積層状態を保持するため、上下端縁の中央部に設けられた切欠き（５）を、それぞれ図示しない固定フレームとサポートとの間に水平でかつ平行に横架された上下のガイドバー（６）に係合させることによってガイドバー（６）間に懸垂支持された状態で所定枚数を積層配置した後、ガイドバー（６）間に摺動可能に支承された移動フレーム（図示せず）と上記固定フレームとで挟持固定されている。
【０００５】
【発明が解決しようとする課題】
プレート式熱交換器のプレート（１）は、厚さ約 0.5mm〜 1.0mmの薄い金属板をプレス加工によって波板状に形成しているため、ガイドバー（６）に懸垂支持する場合、あるいはガイドバー（６）から取り外す場合に作業員が周縁部を握ってハンドリングする際、板厚が薄いために変形（たわみ、折れ曲がりなど）し易い。そのため、プレート（１）のガイドバー（６）に懸垂支持する場合、あるいはガイドバー（６）から取り外す場合のハンドリング時の取り扱いが難しくて作業性の低下をもたらし、工期の延長や多大な労力が必要になるという問題がある。特に、プレート（１）のサイズ（縦、横）が大きくなると、プレート（１）の板厚は同様に薄いため、上記問題が顕著である。
【０００６】
そこで、斯かる問題を解決するため、図10に示すように、ガスケット溝（７）と伝熱面（３）との境界に波形状の補強畝（８）を形成してプレート（１）の強度を増大したり、図11に示すように、ガスケット溝（７）の外側に波形状の補強溝（９）を形成してプレート（１）の強度を増大している。
【０００７】
ところが、プレート（１）の板厚が薄いために充分な強度確保が難しいとともに、図10に示すものでは、補強畝（８）の裏面に流体のショートパスするトンネルが形成されるために伝熱性能の低下をもたらす問題があり、図11に示すものでは、ガスケット溝（７）の外側に補強溝（９）を形成するためのスペースが必要で、このスペースがプレート（１）の伝熱性能に全く寄与しないことから、素材に対する伝熱面積の収率低下をもたらしてコストアップの要因となる。
【０００８】
本発明は、上記問題に鑑み、プレート式熱交換器のプレートをガイドバーに懸垂支持する場合、あるいはガイドバーから取り外す場合のハンドリング時の変形を防止することを目的とする。
【０００９】
【課題を解決するための手段】
前述した目的を達成するために、本発明は、例えばプレート式熱交換器のプレートをガイドバーに懸垂支持する場合、あるいはガイドバーから取り外す場合のハンドリング時にプレートに取り付けられるものであって、プレートの周縁部、切欠き部、あるいは孔部を利用して当該プレートと固定する１本あるいは２本の縦補強桟を具備したことを特徴とする。
【００１０】
本発明のハンドリング補助具は、１本あるいは２本の縦補強桟をプレート式熱交換器のプレートの周縁部、切欠き部、あるいは孔部を利用して当該プレートに固定することによりプレートに取り付けられ、これによってプレートをたわみ、折れ曲がりなどが生じないように補強する。そして、本発明のハンドリング補助具により補強されたプレートを、ハンドリング補助具と同時に握って、またはハンドリング補助具だけを握ってハンドリングしてガイドバーへの懸垂支持、あるいは取り外しを行うことにより、プレート式熱交換器のプレートをガイドバーに懸垂支持する場合、あるいはガイドバーから取り外す場合のハンドリング時の変形を防止することができる。
【００１１】
【発明の実施の形態】
以下、本発明のプレート式熱交換器用プレートのハンドリング補助具の幾つかの実施の形態を図１乃至図８を参照して説明する。
【００１２】
図１に示すように、本発明に係るハンドリング補助具（10）は、横方向に所定の間隔を持たせて平行配置された２本の縦補強桟（11）と、この２本の縦補強桟（11）をその中央部で一体に連結させる横補強桟（12）とからなっている。
【００１３】
上記縦補強桟（11）は、プレート（１）の縦寸法よりも少し短い長さ寸法を有し、その上端部にプレート（１）の上部の通路孔（２）に挿入してその周縁に係止させるＬ字状の上部フック（11ａ）を突設しているとともに、下端部にプレート（１）の下部の通路孔（２）に挿入してその周縁に係止させるＬ字状の下部フック（11ｂ）を突設している。
【００１４】
上記横補強桟（12）は、プレート（１）の横寸法と略同じ長さ寸法を有し、その両端部に下向きに折曲する握持片（12ａ）を形設している。
【００１５】
図１に示すハンドリング補助具（10）は、プレート（１）をガイドバー（６）に懸垂支持する場合、あるいはガイドバー（６）から取り外す場合に、２本の縦補強桟（11）の上部フック（11ａ）をそれぞれプレート（１）の上部左右の通路孔（２）に挿入してその周縁に係止するとともに、２本の縦補強桟（11）の下部フック（11ｂ）をそれぞれプレート（１）の下部左右の通路孔（２）に挿入してその周縁に係止することによりプレート（１）に取り付けられ、これによってプレート（１）をたわみ、折れ曲がりなどが生じないように補強することができる。そして、ハンドリング補助具（10）の横補強桟（12）の両端部に設けた握持片（12ａ）とプレート（１）の周縁部とを同時に握って、またはハンドリング補助具（10）の任意の部位だけを握ってプレート（１）をハンドリングすることにより、プレート（１）をガイドバー（６）に懸垂支持する場合、あるいはガイドバー（６）から取り外す場合のハンドリング時のプレート（１）の変形を防止することができる。
【００１６】
図２は本発明の第２の実施の形態のハンドリング補助具（20）を示すものであって、プレート（１）の縦寸法よりも少し短い長さ寸法を有し、その上端部にプレート（１）の上部の通路孔（２）に挿入してその周縁に係止させるＬ字状の上部フック（21ａ）を突設するとともに、下端部にプレート（１）の下部の通路孔（２）に挿入してその周縁に係止させるＬ字状の下部フック（21ｂ）を突設する縦補強桟（21）と、この縦補強桟（21）の中央部と直交して一体に結合され、プレート（１）の横寸法と略同じ長さ寸法を有し、その両端部に下向きに折曲する握持片（22ａ）を形設する横補強桟（22）とからなり、縦補強桟（21）の上部フック（21ａ）および下部フック（21ｂ）をそれぞれプレート（１）の一側上下の通路孔（２）に挿入してその周縁に係止することによりプレート（１）に取り付けられ、プレート（１）をたわみ、折れ曲がりなどが生じないように補強することができる。
【００１７】
図３は本発明の第３の実施の形態のハンドリング補助具（30）を示すものであって、プレート（１）の縦寸法よりも少し短い長さ寸法を有し、その上端部にプレート（１）の一側上部の通路孔（２）に挿入してその周縁に係止させるＬ字状の上部フック（31ａ）を突設するとともに、下端部にプレート（１）の他側下部の通路孔（２）に挿入してその周縁に係止させるＬ字状の下部フック（31ｂ）を突設する斜めの縦補強桟（31）と、この斜めの縦補強桟（31）の中央部と斜めに交差して一体に結合され、プレート（１）の横寸法と略同じ長さ寸法を有し、その両端部に下向きに折曲する握持片（32ａ）を形設する横補強桟（32）とからなり、斜めの縦補強桟（31）の上部フック（31ａ）をプレート（１）の一側上部の通路孔（２）に挿入してその周縁に係止するとともに、斜めの縦補強桟（31）の下部フック（31ｂ）をプレート（１）の他側下部の通路孔（２）に挿入してその周縁に係止することによりプレート（１）に取り付けられ、プレート（１）をたわみ、折れ曲がりなどが生じないように補強することができる。
【００１８】
図４は本発明の第４の実施の形態のハンドリング補助具（40）を示すものであって、横方向に所定の間隔を持たせて平行配置され、プレート（１）の縦寸法の半分よりも少し短い長さ寸法を有し、その上端部にプレート（１）の上部の通路孔（２）に挿入してその周縁に係止させるＬ字状のフック（41ａ）を突設する２本の縦補強桟（41）と、この２本の縦補強桟（41）の下端部を一体に連結させ、プレート（１）の横寸法と略同じ長さ寸法を有し、その両端部に下向きに折曲する握持片（42ａ）を形設する横補強桟（42）とからなり、２本の縦補強桟（41）のフック（41ａ）をそれぞれプレート（１）の上部左右の通路孔（２）に挿入してその周縁に係止することによりプレート（１）に取付けられ、プレート（１）をたわみ、折れ曲がりなどが生じないように補強することができる。
【００１９】
図５は本発明の第５の実施の形態のハンドリング補助具（50）を示すものであって、横方向に所定の間隔を持たせて平行配置され、プレート（１）の縦寸法と概同じ長さ寸法を有し、その上端部にプレート（１）の上部の通路孔（２）に挿入してその周縁に係止させるＬ字状の上部フック（51ａ）を突設するするとともに、下端部にプレート（１）の下端縁に係止させるＬ字状の下部フック（51ｂ）を突設する２本の縦補強桟（51）と、この２本の縦補強桟（51）の中央部を一体に連結させ、プレート（１）の横寸法と略同じ長さ寸法を有し、その両端部に下向きに折曲する握持片（52ａ）を形設する横補強桟（52）とからなり、２本の縦補強桟（51）の上部フック（51ａ）をそれぞれプレート（１）の上部左右の通路孔（２）に挿入してその周縁に係止するとともに、２本の縦補強桟（51）の下部フック（51ｂ）をそれぞれプレート（１）の下端縁に係止することによりプレート（１）に取り付けられ、これによってプレート（１）をたわみ、折れ曲がりなどが生じないように補強することができる。
【００２０】
図６は本発明の第６の実施の形態のハンドリング補助具（60）を示すものであって、横方向に所定の間隔を持たせて平行配置され、プレート（１）の縦寸法よりも少し長い長さ寸法を有し、その上端部にプレート（１）の上端縁に係止させる逆Ｌ字状のフック（61ａ）を突設するとともに、下端にプレート（１）の下端縁を支える下端縁受板（61ｂ）を突設する２本の縦補強桟（61）と、この２本の縦補強桟（61）の中央部を一体に連結させ、プレート（１）の横寸法と略同じ長さ寸法を有し、その両端部に下向きに折曲する握持片（62ａ）を形設する横補強桟（62）とからなり、２本の縦補強桟（61）のフック（61ａ）をそれぞれプレート（１）の上端縁に係止するとともに、２本の縦補強桟（61）の受板（61ｂ）でそれぞれプレート（１）の下端縁に支えることによりプレート（１）に取り付けられ、これによってプレート（１）をたわみ、折れ曲がりなどが生じないように補強することができる。
【００２１】
図７は本発明の第７の実施の形態のハンドリング補助具（70）を示すものであって、横方向にプレート（１）の横寸法と略同じ間隔を持たせて平行配置され、上端部および下端部がそれぞれプレート（１）の四隅の通路孔（２）に及ぶように内側にＬ字状に折曲され、その上端部にプレート（１）の上部の通路孔（２）に挿入してその周縁に係止させるＬ字状の上部フック（図示せず）を突設するとともに、下端部にプレート（１）の下部の通路孔（２）に挿入してその周縁に係止させるＬ字状の下部フック（図示せず）を突設する２本の縦補強桟（71）からなり、２本の縦補強桟（71）の上端部に突設した上部フックをそれぞれプレート（１）の上部左右の通路孔（２）に挿入してその周縁に係止するとともに、下端部に突設した下部フックをそれぞれプレート（１）の下部左右の通路孔（２）に挿入してその周縁に係止することによりプレート（１）に取り付けられ、これによってプレート（１）をたわみ、折れ曲がりなどが生じないように補強するもので、縦補強桟（71）の中間部とプレート（１）の周縁部とを同時に握って、または縦補強桟（71）の任意の部位だけを握ってプレート（１）をハンドリングする。このハンドリング補助具（70）は、図７において２本の縦補強桟（71）が別々となっているが、図８に示すように、２本の縦補強桟（71）の中央部をプレート（１）の横寸法と略同じ長さ寸法を有する横補強桟（72）で一体に連結してもよい。
【００２２】
尚、図１乃至図８は、本発明の幾つかの実施の形態を示したもので、本発明は、これら限定されるものではなく、これらの組み合わせも可能である。
【００２３】
また、上述した実施の形態では、プレート（１）の通路孔（２）または上下端縁を利用してハンドリング補助具（10）（20）（30）（40）（50）（60）（70）をプレート（１）に取付けるようにしているが、それ以外に設けられた孔、あるいは切欠きを利用してプレート（１）に取付けるようにしてもよい。
【００２４】
また、上述した実施の形態は、ハンドリング補助具（10）（20）（30）（40）（50）（60）（70）を係止による固定によりプレート（１）に取り付けるようにしているが、それ以外に例えば吸盤などによる固定によりプレート（１）に取り付けるようにしてもよく、固定手段は限定するものでない。
【００２５】
さらに、ハンドリング補助具（10）（20）（30）（40）（50）（60）の横補強桟（12）（22）（32）（42）（52）（62）の両端部に設けられた握持片（12ａ）（22ａ）（32ａ）（42ａ）（52ａ）（62ａ）に、図示していないが作業性および安全性の向上を図るため、プレート（１）の横方向の移動を防止するためのプレート側縁ガイドを設けてもよい。
【００２６】
【発明の効果】
以上説明したように、本発明によれば、プレートをガイドバーに懸垂支持する場合、あるいはガイドバーから取り外す場合にハンドリング補助具をプレートに取り付けることにより、ハンドリング補助具によりプレートがたわみ、折れ曲がりなどが生じないように補強され、プレートをガイドバーに懸垂支持する場合、あるいはガイドバーから取り外す場合のハンドリング時のプレートの変形を防止することができる。これによってプレートのハンドリング時の取り扱いが容易となるから、作業性の向上が図れて工期の短縮や労力の軽減をもたらすという顕著な効果が発揮される。
【図面の簡単な説明】
【図１】本発明の第１の実施の形態のプレート式熱交換器用プレートの補助具を示す図面で、（ａ）はプレートに取り付けた状態を示す平面図、（ｂ）は（ａ）のＡ−Ａ線に沿う断面図である。
【図２】本発明の第２の実施の形態のプレート式熱交換器用プレートの補助具を示す図面で、（ａ）はプレートに取り付けた状態を示す平面図、（ｂ）は（ａ）のＡ−Ａ線に沿う断面図である。
【図３】本発明の第３の実施の形態のプレート式熱交換器用プレートの補助具を示す図面で、（ａ）はプレートに取り付けた状態を示す平面図、（ｂ）は（ａ）のＡ−Ａ線に沿う断面図である。
【図４】本発明の第４の実施の形態のプレート式熱交換器用プレートの補助具を示す図面で、（ａ）はプレートに取り付けた状態を示す平面図、（ｂ）は（ａ）のＡ−Ａ線に沿う断面図である。
【図５】本発明の第５の実施の形態のプレート式熱交換器用プレートの補助具を示す図面で、（ａ）はプレートに取り付けた状態を示す平面図、（ｂ）は（ａ）のＡ−Ａ線に沿う断面図である。
【図６】本発明の第６の実施の形態のプレート式熱交換器用プレートの補助具を示す図面で、（ａ）はプレートに取り付けた状態を示す平面図、（ｂ）は（ａ）のＡ−Ａ線に沿う断面図である。
【図７】本発明の第７の実施の形態のプレート式熱交換器用プレートの補助具を示すプレートに取り付けた状態の平面図である。
【図８】本発明の第７の実施の形態のプレート式熱交換器用プレートの補助具の変形例を示すプレートに取り付けた状態の平面図である。
【図９】プレート式熱交換器のプレートを示す平面図である。
【図１０】従来のプレートの補強構造を示す図７のＡ−Ａ線に沿う断面図である。
【図１１】従来のプレートの補強構造を示す図７のＡ−Ａ線に沿う断面図である。
【符号の説明】
１    プレート
２    通路孔
10    第１の実施の形態のハンドリング補助具
11    縦補強桟
12    横補強桟
20    第２の実施の形態のハンドリング補助具
21    縦補強桟
22    横補強桟
30    第３の実施の形態のハンドリング補助具
31    縦補強桟
32    横補強桟
40    第４の実施の形態のハンドリング補助具
41    縦補強桟
42    横補強桟
50    第５の実施の形態のハンドリング補助具
51    縦補強桟
52    横補強桟
60    第６の実施の形態のハンドリング補助具
61    縦補強桟
62    横補強桟
60    第７の実施の形態のハンドリング補助具
71    縦補強桟
72    横補強桟
【図１】
0003657319.tif 000002
【図２】
0003657319.tif 000003
【図３】
0003657319.tif 000004
【図４】
0003657319.tif 000005
【図５】
0003657319.tif 000006
【図６】
0003657319.tif 000007
【図７】
0003657319.tif 000008
【図８】
0003657319.tif 000009
【図９】
0003657319.tif 000010
【図１０】
0003657319.tif 000011
【図１１】
0003657319.tif 000012